(57)【特許請求の範囲】
【請求項１】
記録媒体に画像を形成する画像形成手段と、
前記画像が形成された記録媒体に対して後処理を施すために当該記録媒体を一時的に載置する後処理トレイと、
前記記録媒体を前記後処理トレイに搬送する搬送手段と、
前記後処理トレイに載置された記録媒体を前記搬送手段による搬送方向と直交する方向に移動させる幅寄せ手段と、
前記搬送方向と直交する側と前記搬送方向側で前記記録媒体の進入を許容する２方向の開口部が形成されており、当該開口部から進入した記録媒体に対して前記後処理を施す後処理手段と、
前記後処理手段内の前記搬送方向側の開口部付近に設置され、前記幅寄せ手段による前記記録媒体の移動方向上流側に一端部が回動自在に軸支されていると共に、他端部が前記移動方向下流側に向かって垂下して前記搬送方向側の開口部を塞ぐシャッタと、
を備えた画像形成装置であって、前記後処理手段は装置正面側に配置され、前記幅寄せ手段によって前記開口部内を移動する前記記録媒体が前記後処理手段内に進入して前記シャッタに当接することによって、前記シャッタは前記軸支された一端部を支点にして前記他端部が回動し、前記後処理手段内に前記記録媒体が進入していないとき、前記シャッタは前記他端部が垂下して前記搬送方向側の開口部を塞ぐ画像形成装置。
【請求項２】
前記後処理トレイに前記記録媒体が載置されているか否かを認識する認識手段と、
前記シャッタの他端部が予め定められた位置まで回動したか否かを検知する検知手段と、
を更に備え、前記後処理トレイに前記記録媒体が載置されていないことを前記認識手段が認識しているときに、前記シャッタの他端部が前記予め定められた位置まで回動したことを前記検知手段が検知したとき、前記後処理手段は前記後処理を行わないことを特徴とする請求項１に記載の画像形成装置。
【請求項３】
前記シャッタは、前記記録媒体との当接面において、前記一端部側に形成された第１傾斜部及び前記他端部側に形成された第２傾斜部を有し、前記シャッタの他端部が垂下している状態において、前記第１傾斜部は前記第２傾斜部より前記記録媒体の載置面に対する傾斜度が大きいことを特徴とする請求項１又は２に記載の画像形成装置。
【発明の詳細な説明】
【技術分野】
【０００１】
本発明は、記録媒体に画像を形成する画像形成装置に関するものである。
【背景技術】
【０００２】
従来より、設置スペースの縮小を目的として、画像が形成された用紙と排出するための排紙空間を画像形成装置本体に内蔵する、いわゆる胴内排出タイプの画像形成装置が普及している。通常、排紙空間は画像形成装置本体の正面側へ開放しており、ユーザは排紙空間の底となるトレイに排出された用紙を開放部分から取り出す。
【０００３】
また、特許文献１には、用紙にステープル処理を行うステープラを本体内に内蔵している画像形成装置について記載されている。この画像形成装置は、排出空間内の上部にステープル処理を行う用紙を一時的に載置する後処理トレイを有した構成となっている。
【特許文献１】特許第３５５６５５８号
【発明の開示】
【発明が解決しようとする課題】
【０００４】
特許文献１に記載されているような画像形成装置の場合、ユーザによるステープル（針）補充をしやすくするために、ステープラは装置正面側（前方）に設置されている場合が多い。後処理トレイには用紙を載置して用紙搬送方向と直交する方向（装置正面方向）に移動するための一対の幅寄せカーソルが配置されており、幅寄せカーソルは用紙搬送方向と直交する方向に移動することによって用紙をステープラ内のステープル位置に配置する。ステープル処理後、幅寄せカーソルは再び用紙搬送方向と直交する方向（装置後方）に移動して、用紙を元の用紙搬送位置に戻す。
【０００５】
このため、ステープラはコーナーに２方向の開口部があり、用紙搬送方向と直交する側からの用紙の進入に対しては許容し、用紙搬送方向下流側からの異物の侵入を防止するシャッタを有しており、用紙はこの開口部に沿ってステープラ内へ進入するが、この開口部からステープラ内へ用紙以外の異物が侵入する場合が考えられる。異物がステープラ内に侵入しステープル処理が行われると、ステープラの故障等が発生するため、異物及び指の侵入を防止する必要があった。
【０００６】
本発明は、上記の問題を解決するためになされたもので、ステープラ等の後処理装置内への異物侵入を防ぐことを目的とするものである。
【課題を解決するための手段】
【０００７】
請求項１に記載の発明の画像形成装置は、記録媒体に画像を形成する画像形成手段と、前記画像が形成された記録媒体に対して後処理を施すために当該記録媒体を一時的に載置する後処理トレイと、前記記録媒体を前記後処理トレイに搬送する搬送手段と、前記後処理トレイに載置された記録媒体を前記搬送手段による搬送方向と直交する方向に移動させる幅寄せ手段と、前記搬送方向と直交する側と前記搬送方向側で前記記録媒体の進入を許容する２方向の開口部が形成されており、当該開口部から進入した記録媒体に対して前記後処理を施す後処理手段と、前記後処理手段内の前記搬送方向側の開口部付近に設置され、前記幅寄せ手段による前記記録媒体の移動方向上流側に一端部が回動自在に軸支されていると共に、他端部が前記移動方向下流側に向かって垂下して前記搬送方向側の開口部を塞ぐシャッタと、を備えた画像形成装置であって、前記後処理手段は装置正面側に配置され、前記幅寄せ手段によって前記開口部内を移動する前記記録媒体が前記後処理手段内に進入して前記シャッタに当接することによって、前記シャッタは前記軸支された一端部を支点にして前記他端部が回動し、前記後処理手段内に前記記録媒体が進入していないとき、前記シャッタは前記他端部が垂下して前記搬送方向側の開口部を塞ぐ。 
【０００８】
この構成によれば、後処理手段に用紙が進入していないときは、シャッタの他端部が垂下して後処理手段の開口部を塞ぐ姿勢をとるため、開口部から後処理手段内に用紙以外の異物が入り込むことを防止することができる。
【０００９】
また、請求項２に記載の発明は、請求項１に記載の画像形成装置であって、前記後処理トレイに前記記録媒体が載置されているか否かを認識する認識手段と、前記シャッタの他端部が予め定められた位置まで回動したか否かを検知する検知手段と、を更に備え、前記後処理トレイに前記記録媒体が載置されていないことを前記認識手段が認識しているときに、前記シャッタの他端部が前記予め定められた位置まで回動したことを前記検知手段が検知したとき、前記後処理手段は前記後処理を行わないことを特徴としている。
【００１０】
この構成によれば、開口部から侵入した異物に対して後処理が行われることを防ぎ、異物侵入による後処理手段の故障を防止することができる。
【００１１】
また、請求項３に記載の発明は、請求項１又は２に記載の画像形成装置であって、前記シャッタは、前記記録媒体との当接面において、前記一端部側に形成された第１傾斜部及び前記他端部側に形成された第２傾斜部を有し、前記シャッタの他端部が垂下している状態において、前記第１傾斜部は前記第２傾斜部より前記記録媒体の載置面に対する傾斜度が大きいことを特徴としている。
【００１２】
この構成によれば、用紙を後処理手段の開口部に沿って進入させるときの幅寄せカーソルの移動方向上流側にあたるシャッタ一端部側の進入口が広く形成されているため、記録媒体はシャッタの下へスムーズに進入することができる。
【発明の効果】
【００１３】
この発明によれば、後処理手段に用紙が進入していないときは、シャッタの他端部が垂下して後処理手段の開口部を塞ぐ姿勢をとるため、開口部から後処理手段内に用紙以外の異物が入り込むことを防止することができる。
【発明を実施するための最良の形態】
【００１４】
本発明における画像形成装置の実施の形態について図面を参照して説明する。尚、以下の実施の形態では、画像形成装置の一例として複写機を例に説明するが、本発明における画像形成装置はプリンタ、複写機、ファクシミリ、又はこれら機能を兼ね備えた複合機等の画像形成装置に適用可能である。
【００１５】
図１は、本発明の実施の形態における複写機１の概略斜視図である。図中、装置前後方向をＸ方向、左右方向をＹ方向、上下方向をＺ方向として説明する。複写機１は、複写機本体１１（以下、単に「本体１１」という）の上下方向途中部に、本体１１の外表面から略水平方向の内側に入り込んだ排紙空間１２が形成されている。このため、本体１１は、上ハウジング１１Ｕ、下ハウジング１１Ｄ及び連結ハウジング１１Ｃを備えて構成されている。
【００１６】
排紙部４８は、排紙空間１２の底となるトレイであり、ステープル処理されない用紙が排出される。後処理トレイ７１は、ステープル処理される用紙が搬送されるトレイであり、排紙空間１２の上部に配置されている。幅寄せカーソル（幅寄せ手段）７２は、後処理トレイ７１に搬送された用紙をステープル処理する際に、その用紙を装置の前後方向（Ｘ方向）に移動させるためのものである。尚、幅寄せカーソル７２とＸ方向に対向する位置に同じく幅寄せカーソルが配置されており（不図示）、これらは一対のカーソルとして移動して用紙の幅寄せを行う。また、本体１１の側面には、ステープル処理された用紙が排出される排紙トレイ３が取り付けられている。
【００１７】
上ハウジング１１Ｕは、原稿給紙部６を有し、上ハウジング１１ＵのＸ方向正面側には各種操作キーや表示画面を有する操作パネル４７が配置されている。下ハウジング１１Ｄは、Ｘ方向正面側に引き出し可能な給紙カセット４６１を有し、更に給紙カセット４６１から用紙を取り出して搬送する用紙搬送路、用紙に対してトナー像を転写する画像形成部（画像形成手段）、画像形成部によって用紙に転写されたトナー像を定着させる定着部等を内蔵している。
【００１８】
連結ハウジング１１Ｃは、定着部を通過した用紙の搬送先を排紙部４８又は後処理トレイ７１の何れかに切り換えるための切換ガイドと、後処理トレイ７１に載置された用紙に対してステープル処理を行うステープル部（後処理手段）１６と、後処理トレイ７１においてステープル処理が施された用紙を排紙トレイ３に排出するための排出ローラ対等を内蔵している。ステープル部１６は、用紙の排紙方向（搬送方向）と直交する側と排紙方向側で用紙の進入口である２方向に開口部が形成されている。更に、ステープル部１６の排紙方向側の開口部に近い位置にはシャッタ８２が設置されている。シャッタ８２は一端部が回転自在に軸支されており、ステープル処理が行われないときは、ステープル部１６の開口部を塞ぐように他端部が垂下している。そして、幅寄せカーソル７２によって用紙がステープル部１６の開口部から進入したとき、シャッタ８２は用紙によって持ち上げられ、ステープル位置に用紙が配置される。このシャッタ８２については、詳細を後述する。
【００１９】
図２は、複写機１の内部構成を示す概略断面図である。原稿給送部６は、原稿を載置するための原稿載置トレイ６１と、画像読み取り後の原稿を排出するための原稿排出トレイ６２と、原稿載置トレイ６１に載置された原稿を１枚ずつ順に繰り出して原稿読取スリット５３に対向する位置へ搬送し、原稿排出トレイ６２へ排出するための給紙ローラ及び搬送ローラ（図略）等からなる自動原稿搬送装置６３（Auto Document Feeder：以下「ＡＤＦ６３」という）を備えて構成される。ＡＤＦ６３は、原稿を表裏反転させて原稿読取スリット５３と対向する位置へ搬送する図略の用紙反転機構を有し、原稿の両面の画像を原稿読取スリット５３を介してスキャナ５１から読取可能にしている。
【００２０】
原稿読取部５は、ＣＣＤ（Charge Coupled Device）センサ及び露光ランプ等からなるスキャナ５１と、ガラス等の透明部材により構成された原稿台５２（プラテンガラス）及び原稿読取スリット５３を備えて構成される。スキャナ５１は、図略の駆動部によって移動可能に構成され、原稿台５２に載置された原稿を読み取るときには原稿台５２に対向する位置に移動され、原稿画像を走査しつつ取得した画像データを後述する制御部へ出力する。また、原稿給送部６により給送された原稿を読み取るときには原稿読取スリット５３と対向する位置に移動され、原稿読取スリット５３を介して原稿給送部６による原稿の搬送動作と同期して原稿の画像を取得し、その画像データを制御部へ出力する。
【００２１】
また、原稿給送部６は、可倒式に構成されており、原稿台５２上面を開放するように上方に持ち上げることにより、原稿台５２の上面に、読み取り原稿、例えば見開き状態にされた書籍等を載置することが可能に構成されている。
【００２２】
下ハウジング１１Ｕは、それぞれサイズが異なる用紙を収納する複数の給紙カセット４６１と、各給紙カセット４６１から用紙を１枚ずつ繰り出して画像形成部４０へ搬送するべく当該各給紙カセットの上方に配設された給紙ローラ４６０と、各給紙カセット４６１から搬送されてきた用紙にトナー像を転写する画像形成部４０と、用紙に転写されたトナー像を定着させる定着部４５を備えて構成される。
【００２３】
画像形成部４０は、スキャナ５１で取得された画像データに基づいてレーザ光を出力して感光体ドラム４３を露光する光学ユニット４２と、感光体ドラム４３上にトナー像を形成する現像部４４と、感光体ドラム４３上のトナー像を用紙に転写する転写部４１を備えて構成される。画像形成部４０によってトナー像が転写された用紙は加熱ローラ及び加圧ローラを有する定着部４５に搬送され、用紙が加熱ローラ及び加圧ローラのニップ部を通過することによって用紙にトナー像が定着する。
【００２４】
定着部４５の下流側には切換ガイド３１が配置されており、切換ガイド３１が破線の状態に切り換えられることにより、定着部４５から搬送された用紙を排紙部４８側へ導く。排紙部４８側に導かれた用紙は排出ローラ対４６によって排紙部４８に排出される。一方、切換ガイド３１が実線の状態に切り換えられることにより、定着部４５から搬送された用紙は分岐レバー３２及び３３を介して搬送ローラ３６及び３７によって後処理トレイ７１へ搬送される。
【００２５】
図３は、分岐レバー３２及び３３が配置されている搬送路の拡大図である。分岐レバー３２及び３３が図３（ａ）に示す状態にあるとき、用紙は一点鎖線Ａで示す搬送路を通過し、搬送ローラ３６及び３７（搬送手段）によって後処理トレイ７１へ搬送される。このとき、ストッパ３４が立ち上がることにより、用紙が搬送ローラ３５及び３６のニップ部を通過することを防ぐ。
【００２６】
後処理トレイ７１へ搬送された用紙はステープル処理が施され、その後、分岐レバー３２及び３３は図３（ｂ）に示す状態に切り換わる。そして用紙は搬送ローラ３５及び３６によって後処理トレイ７１から取り出されて一点鎖線Ｂで示す搬送路を通過し、排出ローラ対７０によって排出トレイ７１へ排出される。
【００２７】
図４は、複写機１の電気的構成を示すブロック図である。画像メモリ７は、原稿読取部５（スキャナ５１）によって読み取られた原稿画像のデータが一時的に記憶されるメモリである。ＨＤＤ（Hard Disk Drive）８は、原稿読取部５によって読み取られた画像データ及び当該画像データに設定されている出力形式等が記憶される記憶装置である。
【００２８】
制御部（認識手段、検知手段）１０は、複写機１の制御プログラムを記憶するＲＯＭ（Read Only Memory）、一時的にデータを保管するＲＡＭ（Random Access Memory）、及び制御プログラム等を上記ＲＯＭから読み出して実行するＣＰＵ（Central Processing Unit）等からなり、操作パネル４７等で受け付けられた指示情報や、本装置の各所に設けられているセンサからの検出信号に応じて装置全体の制御を行う。
【００２９】
画像形成部４０は制御部１０から出力される指示信号に従って、用紙にトナー像を転写する。定着部４０は用紙に転写されたトナー像を定着させる。ステープル部１６は、画像が形成された用紙にステープル処理を施す。幅寄せカーソル７２及び７３は、制御部１０による制御の下、図略のモータによって用紙搬送方向と直交した方向に移動される。幅寄せカーソル７２及び７３の移動によって、後処理トレイ７１に搬送された用紙がステープル部１６内のステープル処理の位置まで移動する。そして、ステープル処理後、用紙を元の搬送位置まで移動させる。
【００３０】
センサ部９は、後処理トレイ７１に用紙が載置されているか否かを検知するセンサである用紙センサ９１と、シャッタ８２が予め定められた位置まで持ち上げられているか否かを検知するシャッタセンサ９２を有する。用紙センサ９１とシャッタセンサ９２の詳細は後述する。
【００３１】
図５は、後処理トレイ７１と分岐レバー３２及び３３や搬送ローラ３５、３６及び３７等を内蔵する分岐ユニット３０、ステープル部１６の概略斜視図である。また図６は、ステープル部１６と、後処理トレイ７１及び分岐ユニット３０の一部をＹ方向から見たときの概略断面図であり、図７及び８は図６における概略断面図より更に−Ｙ方向側の断面図であってシャッタ８２の動きについて説明するための図である。図５〜図８を用いて、後処理トレイ７１及びステープル部１６について詳しく説明する。
【００３２】
図５に示すように、後処理トレイ７１には、幅寄せカーソル７２及び７３が設置されており、分岐レバー３２及び３３によって後処理トレイ７１側に導かれて搬送口８１から排出された用紙が幅寄せカーソル７２及び７３の載置面７２ａ及び７３ａに載置される。以下、搬送口８１から排出された用紙を受けたときの幅寄せカーソル７２及び７３の位置を用紙搬送位置という。幅寄せカーソル７２及び７３の載置面７２ａ及び７３ａに用紙が載置されると、幅寄せカーソル７２は用紙をステープル部１６のステープル位置まで移動させるためにＸ方向（装置正面方向、前方）に移動する。つまり、用紙は搬送口８１から排出されたときの搬送方向（Ｙ方向）と直交する方向（Ｘ方向）に移動される。
【００３３】
図６に示すように、ステープル部１６は、幅寄せカーソル７２による用紙の移動方向（Ｘ方向）に沿って開口部８１が形成されている。幅寄せカーソル７２及び７３がＸ方向に移動することによって、用紙が開口部８１に沿ってステープル部１６内に進入し、ステープル位置へ配置される。また、ステープル部１６内の開口部８１に近い位置にシャッタ８２が設置されている。シャッタ８２は、図７に示すように、用紙をステープル位置に配置するために幅寄せカーソル７２及び７３が移動するときの移動方向上流側に位置する一端部が軸８３によって回転自在に軸支されており、他端部が用紙の移動方向下流側に向かって垂下している。用紙がステープル部１６に配置されていないときは、図７に示すようにシャッタ８２の他端部は垂下姿勢にあって、ステープル部１６の開口部８１を塞ぐ姿勢をとる。
【００３４】
幅寄せカーソル７２及び７３に載置された用紙Ｐが用紙搬送位置から開口部８１に沿ってステープル部１６内に進入すると、図８に示すようにシャッタ８２の一端部は軸８３を支点にして回動し、他端部は用紙によって持ち上げられる。そして、用紙はステープル位置に配置される。ステープル処理が終わると、幅寄せカーソル７２及び７３は元の用紙搬送位置に戻るために−Ｘ方向（装置後方）に移動する。開口部８２に沿ってステープル部１６から用紙が抜かれると、図７に示すようにシャッタ８２の他端部は再び垂下し、開口部８２を塞ぐ姿勢となる。
【００３５】
このように、ステープル部１６に用紙が進入していないときは、シャッタ８２が開口部８２を塞ぐ姿勢をとることにより、開口部８２からステープル部１６内に用紙以外の異物や指が入り込むことを防止することができる。従って、異物が侵入したことによるステープル部１６の故障等を防ぐことができる。
【００３６】
尚、後処理トレイ７１に配設されている用紙センサ（認識手段）９１によって後処理トレイ７１上の用紙が検知されていないときに、シャッタセンサ（検知手段）９２がシャッタ８２の他端部が予め定められた位置まで回動したことを検知した場合、ステープル部１６はステープル処理を行わない。
【００３７】
図５に示すように、用紙センサ９１は後処理トレイ７１の幅寄せカーソル７２及び７３の配置面上であって、例えば用紙搬送位置に位置しているときの幅寄せカーソル７２と７３に挟まれた領域内に配設されている。用紙センサ９１は例えば反射型光センサで構成されており、発光素子と受光素子を有する。幅寄せカーソル７２及び７３に用紙が載置されている場合、発光素子から発光された光は用紙で反射し、受光素子がその反射光を受光して制御部１０へ受光信号を出力する。これにより、制御部１０は幅寄せカーソル７２及び７３に用紙が載置されていると認識する。一方、幅寄せカーソル７２及び７３に用紙が載置されていない場合、受光素子は反射光を受光しないため、受光信号を出力しない。従って、制御部１０は後処理トレイ７１に用紙が載置されていないと認識する。
【００３８】
尚、用紙センサ９１は上記した構成に限らず、例えば、ステープル部１６の内部にあってもよい。具体的には、ステープル位置付近や、開口部８１付近であって、ステープル位置より用紙をステープル位置に配置するために幅寄せカーソル７２及び７３が移動するときの移動方向上流側に配設されていてもよい。また、重量センサが幅寄せカーソル７２及び７３の重量を計測することによって、載置面７２ａ及び７３ａに用紙が載置されているか否かを判別するようにしてもよい。
【００３９】
図９は、シャッタセンサ９２について説明するための図である。シャッタセンサ９２は例えば透過型光センサで構成されており、用紙の進入によってシャッタ８２の他端部が予め定められた位置まで回動した姿勢にあるときに、その他端部を挟むように発光素子９２ａと受光素子９２ｂが配設されている。シャッタ８２の他端部が垂下しているときは、発光素子９２ａから出射された光Ｌは受光素子９２ｂに入射し、受光素子９２ｂは制御部１０へ受光信号を出力する。一方、シャッタ８２の他端部が回動すると、発光素子９２ａから出射した光Ｌはシャッタ８２によって遮断され、光Ｌは受光素子９２ｂに入射されない。従って、受光素子９２ｂは受光信号を制御部１０へ出力しないため、制御部１０はシャッタ８２の他端部が予め定められた位置まで回動した状態にあることを認識する。
【００４０】
通常は幅寄せカーソル７２及び７３によって移動された用紙がステープル部１６内に進入し、シャッタ８２の他端部が回動する。このとき、用紙センサ９１からは受光信号が出力され、シャッタセンサ９２からは受光信号は出力されないため、制御部１０は後処理トレイ７１に載置された用紙がステープル部１６に進入してシャッタ８２が持ち上げられたことを認識する。そして制御部１０はステープル部１６に対してステープル処理を行うための指示信号を出力する。
【００４１】
一方、シャッタセンサ９２及び用紙センサ９１から受光信号が出力されていないときは、制御部１０は後処理トレイ７１に用紙が載置されていないにも関わらず、シャッタ８２の他端部が回動したことを認識する。つまり、制御部１０は用紙以外の物（異物や指）によってシャッタ８２が持ち上げられたと認識し、ステープル部１６に対してステープル処理を行わせないための指示信号を出力する。このように、用紙以外の異物がステープル部１６に侵入した場合、ステープル処理が行われないように制御部１０が制御することにより、ステープル部１６の故障を防ぐことができる。
【００４２】
尚、シャッタセンサ８２は上記の構成に限らず、例えば、軸８３の回転角度を検知することによってシャッタ８１の回動を検知したり、シャッタ８１の他端部がスイッチを押下することによって他端部が所定位置まで持ち上げられたことを検知するようにしてもよい。
【００４３】
また、図７に示すように、シャッタ８２は、用紙との当接面において、一端部から他端部にかけて細くなるテーパ形状をなしている。具体的には、シャッタ８２の用紙との当接面は、第１傾斜部と第２傾斜部の２段階の傾斜部を有しており、シャッタ８２が垂下している状態において、シャッタ８２の一端部側に形成された第１傾斜部は、他端部側に形成された第２傾斜部より後処理トレイ７１の用紙載置面に対する傾斜度が大きい。このように、シャッタ８２を幅寄せカーソル７２及び７３による用紙のステープル位置への移動方向上流側（シャッタ８２の一端部）の傾斜が大きい形状とすることにより、用紙の進入口が広がるため、用紙はシャッタ８２の下へスムーズに進入することができる。
【００４４】
尚、本発明は本実施の形態に限定されるものではなく、例えば、後処理手段としては、上述したステープル部１６の他に、用紙にパンチ孔を開ける穿孔手段や、用紙を用紙搬送方向と直交する方向に所定量シフトさせて排出する仕分け手段等が挙げられる。
【図面の簡単な説明】
【００４５】
【図１】複写機の概略斜視図。
【図２】複写機の内部構成を示す概略断面図。
【図３】分岐レバーが配置されている搬送路の拡大図。
【図４】複写機の電気的構成を示すブロック図。
【図５】分岐ユニット及びステープル部の概略斜視図。
【図６】ステープル部、後処理トレイ及び分岐ユニットの一部の概略断面図。
【図７】ステープル部、後処理トレイ及び分岐ユニットの一部の概略断面図。
【図８】ステープル部、後処理トレイ及び分岐ユニットの一部の概略断面図。
【図９】シャッタセンサについて説明するための図。
【符号の説明】
【００４６】
１      画像形成装置                    ７１    後処理用トレイ
１２    排出空間                        ７２、７３  幅寄せカーソル
１６    ステープル部                    ８１    開口部
３０    分岐ユニット                    ８２    シャッタ
３１    切換ガイド                      ８３    軸
３２、３３  分岐レバー                  ９１    用紙センサ
３４    ストッパ                        ９２    シャッタセンサ
３５、３６、３７  搬送ローラ
４８    排出部
【図１】
0005172370.tif 000002
【図２】
0005172370.tif 000003
【図３】
0005172370.tif 000004
【図４】
0005172370.tif 000005
【図５】
0005172370.tif 000006
【図６】
0005172370.tif 000007
【図７】
0005172370.tif 000008
【図８】
0005172370.tif 000009
【図９】
0005172370.tif 000010